(57)【要約】      （修正有）【課題】広帯域スペクトラム拡散無線システムにおけるスペクトラム拡散無線信号修復のための方法とシステムを提供する。【解決手段】少なくとも１つのベースステーションから発せられた複数の信号からクロック情報が修復される（２００）。修復されたクロック情報を用いてデスキングおよびタイミングユニットで複数の信号が整列配置される（２０２）。最大比率結合器４つのうちの１つに、整列配置された信号がマップされる（２０４）。各々の最大比率結合器に、マップされた信号を結合する（２０６）。結合された信号からシンボル情報が修復される（２０８）。【選択図】図４
2008182721.tif 000002
【特許請求の範囲】
【請求項１】
少なくとも一つのベースステーションから発せられる多数の信号からクロック情報を修復し、
修復されたクロック情報を用いて多数の信号の出力を調整し、
調整した信号の少なくとも２つを結合し、
結合された信号からシンボル情報を修復すること、を備える
広帯域スペクトラム拡散通信システムにおけるスペクトラム拡散無線信号の修復方法。
【請求項２】
クロック情報を修復することは、前記信号をシングルパスプロセッサにマップすることを含む請求項１記載の方法。
【請求項３】
クロック情報を修復することは、常に利用可能なモバイルタイムリファレンスを用いることを含む請求項１記載の方法。
【請求項４】
モバイルタイムリファレンスは、少なくとも３２ナノ秒まで正確である請求項３記載の方法。
【請求項５】
モバイルタイムリファレンスが高周波温度制御水晶発振器、及び低周波水晶発振器を用いて生成される請求項４記載の方法。
【請求項６】
調整した信号の位相を訂正すること、をさらに備える請求項１記載の方法。
【請求項７】
調整された信号の少なくとも２つを結合することは、４組の調整された信号について、それぞれ、少なくとも２つを結合することが可能である請求項１記載の方法。
【請求項８】
情報を修復することは、結合された信号各々に対して８つのチャネルを生成することを含む請求項１記載の方法。
【請求項９】
アンテナと、
前記アンテナに接続され、高周波発振器及および低周波発振器を含む無線周波数サブシステムと、
前記無線周波数システムに接続され、前記高周波発振器および前記低周波発振器に接続されるフリーランニングカウンターと、前記フリーランニングカウンターに接続されるマルチパス信号修復回路とを含むベースバンドサブシステムと、
ベースバンドレシーバから信号を受信し、ベースバンドレシーバに信号を供給するために、前記ベースバンドサブシステムに接続される少なくとも１つの周辺装置と、を備え、
前記マルチパス信号修復回路は、複数の着信信号からクロック情報を修復するための複数のシングルパスプロセッサを含む、
無線通信システムのためのポータブルトランシーバーシステム。
【請求項１０】
前記マルチパス信号修復回路は、前記フリーランニングカウンターを用いて、着信信号の１つを前記シングルパスプロセッサ各々にマップするシングルパスプロセッサコントローラーを備える、請求項９記載のシステム。
【請求項１１】
前記マルチパス信号修復回路は、前記クロック情報を用いて着信信号の出力を調整するために、前記シングルパスプロセッサに接続されるデスキングアンドタイミングコントローラを含む、請求項９記載のシステム。
【請求項１２】
前記マルチパス信号修復回路は、出力調整された後に着信信号の位相を訂正するために、各シングルパスプロセッサに接続される位相訂正器を含む、請求項１１記載のシステム。
【請求項１３】
前記マルチパス信号修復回路は、前記位相訂正器から出力された信号の少なくとも２つを結合するために、前記位相訂正器の全てに接続される、少なくとも１つの最大レート結合器を備える、請求項１２記載のシステム。
【請求項１４】
前記フリーランニングカウンターは、前記モバイルタイムリファレンスを前記システムに供給し、ウエイクモードおよびスリープモードを有し、ウエイクモードの間は前記モバイルタイムリファレンスを生成するために前記高周波発振器を使用し、スリープモードの間は前記モバイルタイムリファレンスを維持するために低周波発振器を使用する、請求項９記載のシステム。
【請求項１５】
前記高周波発振器は、温度制御水晶発振器である請求項１４記載のシステム。
【請求項１６】
前記温度制御水晶発振器は、３０．７２ＭＨｚクロックを提供する請求項１５記載のシステム。
【請求項１７】
前記低周波発振器は、水晶発振器である請求項１４記載のシステム。
【請求項１８】
前記水晶発振器は、３２ＫＨｚクロックを供給する請求項１７記載のシステム。
【請求項１９】
前記モバイルタイムリファレンスは、少なくとも３２ナノ秒の精度を有する請求項１４に記載のシステム。
【請求項２０】
前記フリーランニングカウンターは、前記高周波発振器および前記低周波発振器に接続されるフェーズロックドループを含む請求項１４記載のシステム。
【請求項２１】
前記フリーランニングカウンターは、低周波発振器のためのドリフト評価を含む請求項１４記載のシステム。
【発明の詳細な説明】
【技術分野】
【０００１】
発明者  マークケント
［関連出願の相互参照］
本出願は、その全体として参照することにより本書に組み込まれている、「Method and Apparatus for Spread Spectrum Radio Signal Recovery in Wideband Spread Communication Systems」と題される２００１年３月１２日に出願された米国仮特許出願番号６０／２７５，１９２の優先権の利点を請求する。
【０００２】
［背景技術］
１．発明の分野
本発明は、一般的な無線通信システムに関し、特に、スペクトラム拡散無線信号修復のための方法及びシステムに関する。
【０００３】
２．関連技術
効果的な有用性が増加するとともに、低価格電子モジュール、モバイル通信システムがますます広範囲にわたって普及している。 例えば通信ハンドセットのような携帯電話の双方向音声及び双方向データ通信を提供するために、様々な周波数、伝送スキーム、変調技術、及び通信プロトコルが使用される、多くのバリエーションの通信スキームがある。その様々な変調及び伝送スキームは、それぞれ利点と欠点を有している。
【０００４】
次世代の無線通信は、第三世代を表す３Ｇと呼ばれる。３Ｇは、提案された様々な規格を通して、無線データ通信および無線音声通信の未決定の改良について言及する。３Ｇシステムの目的の１つは、伝送スピードを９．５キロビット（Ｋｂｉｔｓ）／秒から２メガビット（Ｍｂｉｔｓ）／秒に高めることにある。また、３Ｇは、例えば、インターネットやイントラネットアクセス、ビデオ会議、及び双方向アプリケーション共有などの毎日の生活の一部になっているサービスを、モバイルの範囲に追加する。この無線通信の向上は、スペクトラム拡散無線信号修復の改良を必要とする。スペクトラム拡散無線信号修復の１つの態様はマルチパス信号である。マルチパス信号は、アンテナから受信機まで異なる経路をとるために異なる時間で受信機に受信される、同じアンテナからの２つ以上の同一の信号である。
【発明の開示】
【課題を解決するための手段】
【０００５】
本発明は、広帯域スペクトラム拡散無線システムにおけるスペクトラム拡散無線信号修復のための方法とシステムを提供する。
【０００６】
簡単に説明すると、本システムの一実施形態は、アンテナ、無線周波数サブシステム、ベースバンドサブシステム、及び、少なくとも１つの周辺装置を備える。無線周波数サブシステムは、アンテナに接続され、高周波発振器及び低周波発振器を含む。ベースバンドサブシステムは、無線周波数システムに接続され、高周波発振器及び低周波発振器に接続されるフリーランニングカウンターと、フリーランニングカウンターに接続されるマルチパス信号修復回路を含む。マルチパス信号修復回路は、複数の入力信号からクロック情報を修復するために、複数のシングルパスプロセッサ（single path processors）を含む。周辺装置は、信号を受信し、信号をベースバンドレシーバーに供給するために、ベースバンドサブシステムに接続される。
【０００７】
本発明は、スペクトラム拡散無線信号を修復する方法を提供するものとして見ることもできる。これに関して、このような方法の一実施形態は、少なくとも１つのベースステーションから発せられた複数の信号からクロック情報を修復するステップと、修復されたクロック情報を用いて複数の信号を整列配置するステップと、整列配置された信号の少なくとも２つを結合するステップと、結合された信号から情報を修復するステップとを含むものとして、概して要約されることができる。
【０００８】
本発明の他のシステム、方法、特徴及び効果は、以下の図面及び詳細な説明を検討した上で、当業者に明らかになるであろう。全てのそのような付加されたシステム、方法、特徴及び効果は、本説明の中に含まれ、本発明の範囲内であり、そして添付の請求項により保護されることを意図する。
【発明を実施するための最良の形態】
【０００９】
本発明の多くの態様は、以下の図面と関連してより理解することができる。図面の中の構成要素は正確な縮尺率である必要はなく、かわりに本発明の原理を明確に説明することを重要視する。さらに、図面において、いくつかの図を通して対応するパーツは、同様の参照数字を付す。
【００１０】
本発明の様々な特徴を要約したが、ここでは図面に描かれている本発明の説明を、詳細に言及する。本発明は、これら図面と関連付けて説明されるが、そこで開示される１つまたは複数の実施形態に限定するものではない。それどころか、添付の請求項によって定義される本発明の範囲の中に含まれる代替、変形及び同等のものは、全て包含されることを意味する。
【００１１】
図１は、単純化された３Ｇポータブルトランシーバー２０を説明するブロック図である。一実施形態において、ポータブルトランシーバー２０は、例えば、携帯電話（a mobile cellular-type telephone）などの携帯通信ハンドセット（a portable telecommunication handset）であってもよいが、これに限定されるものではない。ポータブルトランシーバー２０は、無線周波数サブシステム２４に接続されるアンテナ２２を有する。ＲＦサブシステム２４は、レシーバー２６、レシーバーベースバンドアナログプロセッサ（ＢＡＰ）２８、トランスミッター３０、トランスミッターＢＡＰ３２、高周波発振器（温度制御水晶発振器（ＴＣＸＯ）として実行されるものであってもよい）３４、低周波発振器（３２ＫＨｚ水晶発振器（ＣＯ）であってもよい）３６、及びトランスミッター／レシーバースイッチ３８を有する。
【００１２】
アンテナ２２は、連結部４０を介して、信号をスイッチ３８に送信し、スイッチ３８から信号を受信する。スイッチ３８は、連結部４２上のトランスミッター３０からの送信信号をアンテナ２２に転送するか、あるいはアンテナ２２からの受信信号を連結部４４を介してレシーバー２６に供給するかの制御を行う。レシーバー２６は、受信された信号の送信アナログ情報を受信し、復元し、この情報を表す信号を連結部４６を介してレシーバーＢＡＰ２８に供給する。 レシーバーＢＡＰ２８は、これらアナログ信号をベースバンド周波数でデジタル信号に変換し、バス４８を介してベースバンドサブシステム５０に転送する。
【００１３】
ベースバンドサブシステム５０は、バス６２を介して通信する、ＷＣＤＭＡモデム５２、マイクロプロセッサ５４、メモリ５６、デジタルシグナルプロセッサ（ＤＳＰ）５８、及び周辺インターフェース６０を有する。 バス６２は、単一のバスで示されているが、ベースバンドシステム５０内のサブシステムの間で必要に応じて連結される複数のバスを用いて実行することとしてもよい。ＷＣＤＭＡモデム５２、マイクロプロセッサ５４、メモリ５６、及びＤＳＰ５８は、ポータブルトランシーバー２０のために信号タイミング、処理、及び記憶機能を提供する。メモリ５６は、マイクロプロセッサ５４とＤＳＰ５８に共有されるデュアルポートＲＡＭを含んでもよい。
【００１４】
周辺インターフェース６０は、様々なアイテムのためにベースバンドシステム５０への接続を提供する。これらのアイテムは、これに限定されるものではないが、例えばスピーカー６２、ディスプレイ６４、キーボード６６及びマイクロフォン６８などのポータブルトランシーバー２０の物理的な部分であるデバイス、および、例えばパーソナルコンピュータ（ＰＣ）、テストシステム７２及びホストシステム７４などのポータブルトランシーバー２０の外部に接続されるデバイスを含んでもよい。スピーカー６２及びディスプレイ６４は、当業者にとって公知であるように、連結部７６、７８を介してベースバンドシステム５０から信号をそれぞれ受信する。同様に、キーボード６６及びマイクロフォン６８は、連結部８０、８２を介してベースバンドシステム５０に信号をそれぞれ供給する。 ＰＣ７０、テストシステム７２及びホストシステム７４の各々は、連結部８４、８６及び８８を介して、ベースバンドサブシステム５０から信号を受信し、ベースバンドサブシステム５０に信号を送信する。
【００１５】
ベースバンドサブシステム５０は、連結部９０を介してＲＦサブシステム２４に制御信号を供給する。単一の連結部９０が示されているが、制御信号は、ＷＣＤＭＡモデム５２、マイクロプロセッサ５４またはＤＳＰ５８から生じ、ＲＦサブシステム２４内の様々なポイントに供給される。これらのポイントは、レシーバー２６、レシーバーＢＡＰ２８、トランスミッター３０、トランスミッターＢＡＰ３２、ＴＣＸＯ３４、及びスイッチ３８を含むが、これに限定されるものではない。
【００１６】
ＷＣＤＭＡモデム５２は、バス４８上でレシーバーＢＡＰ２８からのデジタル信号を受信し、またバス９２上でトランスミッターＢＡＰ３２にデジタル信号を供給する。トランスミッターＢＡＰ３２は、レシーバー３０への連結部９４上に送出するために、このデジタル信号を無線周波数でアナログ信号に変換する。レシーバー３０は、連結部４０、４２及びスイッチ３８を介してアンテナ２２に供給される送信信号を生成する。スイッチ３８の動作は、連結部９０を介してベースバンドサブシステム５０からの制御信号によって制御される。
【００１７】
ＴＣＸＯ３４は、連結部９６、９８、及び１００を介して、レシーバー２６、トランスミッター３０、及びＷＣＤＭＡモデム５２に、クロックをそれぞれ供給する。そして、ＣＯ３６は、連結部１０２上で、ＷＣＤＭＡモデム５２への３２ＫＨｚクロックを供給する。これら２つのクロックは、モバイルタイムリファレンスを生成するために、ＷＣＤＭＡモデム５２によって使用される。このモバイルタイムリファレンスは、常に動作し、約３２ナノ秒の精度を有する。
【００１８】
ここで図２を参照すると、ポータブルトランシーバー２０によって使用されるモバイルタイムリファレンスを生成するフリーランニングカウンター（ＦＲＣ）１０４が描かれた、ＷＣＤＭＡモデム５２の一部が示されている。ＦＲＣ１０４は、ライン１００上でＴＣＸＯからのクロック信号と、ライン１０２上でＣＯからのクロック信号とを供給される。ライン１００上のＴＣＸＯからのクロック信号は３０．７２ＭＨｚであってもよく、ライン１０２上のＣＯからのクロック信号は３２ＫＨｚであってもよい。ＦＲＣ１０４は、ＴＣＸＯ回路１０６、フェーズロックドループ（ＰＬＬ）１０８、カウンター１１０、ドリフト（drift）評価１１２、及び訂正回路１１４を有する。３０．７２ＭＨｚクロックを用いるＴＣＸＯ回路１０６は、モバイルタイムリファレンスを生成する。３２ＫＨｚクロックは、ＰＬＬ１０８を用いて性能を向上させるために、３０．７２ＭＨｚクロックに位相固定される。カウンター１１０は、３２ＫＨｚクロックのサイクルをカウントする。ドリフト評価１１２は、訂正回路１１４によって使用される３２ＫＨｚクロックの動作特性の変化（ドリフト）の評価を提供する。ドリフトの評価は、当業者に公知であるように、カルマン評価（Kalman estimation）によって供給されるクロックのドリフトとバイアスの両方を含んでいる。ＦＲＣ１０４は、ポータブルトランシーバー２０がアクティブモードかまたはアイドルモードかどうかによって、３０．７２ＭＨｚまたは３２ＫＨｚの２つの時間領域でそれぞれ動作する。
【００１９】
アクティブモードでは、ポータブルトランシーバーは、活発に送信し、受信し、処理し、または信号を探している。アイドルモードの間は、ポータブルトランシーバーは、電力を保存するために、大部分の回路の電力供給を下げる。ＣＯは、常に連続的に３２ＫＨｚクロック信号をＦＲＣ１０４に供給するが、ＴＣＸＯは、アイドルモードの間止められる。
【００２０】
ここで図３を参照すると、ＷＣＤＭＡモデムのブロック図が示されている。ポータブルトランシーバーがアクティブモードのとき、ＦＲＣ１０４は、図３に示すように、バス１５０上で、クロック位相、チップカウンター、及びスロットカウンターを含むモバイルタイムリファレンスを、プライマリシンクサーチャー（primary sync searcher）１１６、セカンダリーシンクサーチャー（secondary sync searcher）１１８、ゴールドコードサーチャー（gold code searcher）１２０、及びシングルパスプロセッサ（ＳＰＰ）コントローラー１２２に供給する。１０ミリ秒の無線フレームは、１５スロット（スロット−カウンター：０−１４）に分割される。 各スロットは、２５６０チップ（チップカウンター：０−２，５５９）を含む。各チップは、８チック（クロック−位相：０−７）を含む。ＦＲＣ１０４は、５．１２秒間の中で発生するフレームをカウントすることによってモバイルタイムリファレンスのためのフレームカウンター（０−５１１）も生成する。またドリフト評価は、ポータブルトランシーバーがアクティブモードのとき、絶えず更新される。
【００２１】
アイドルモードに移行するとき、マイクロプロセッサからＦＲＣ１０４へのライン１２４上のスリープ／アウェイク制御信号は、ロウ（low）状態に移行する。カウンター１１０は、リセットされ、３２ＫＨｚクロック信号の立ち上がりエッジのカウントを開始する。スリープ／アウェイク制御信号がロウ状態に移行した後、３２ＫＨｚクロックの次の立ち上がりエッジで、現在のモバイルタイムリファレンスとＴＸＣＯ回路１０６からのドリフト評価とが、訂正回路１１４に供給される。このときポータブルトランシーバーは、アイドルモードになる。続く各カウントの間、訂正回路１１４は、カウントとドリフト評価とを用いてモバイルタイムリファレンスを更新する。このようにモバイルタイムリファレンスとドリフト評価は、アイドルモードの間、維持される。
【００２２】
アクティブモードに移行するとき、スリープ／アウェイク制御信号は、ハイ（high）状態に移行する。次の３２ＫＨｚクロックの立ち上がりエッジで、訂正回路１１４で維持されたモバイルタイムリファレンスは、ＴＣＸＯ回路１０６に供給される。ＦＲＣ１０４は、開始点として、３０．７２ＭＨｚクロックと更新されたモバイルタイムリファレンスとを用いて、ポータブルトランシーバーのためにモバイルタイムリファレンスの供給を開始する。
【００２３】
アイドル時間は数秒に拡大してもよく、ページング（paging）の検出がないアクティブ時間内は、５ミリ秒の長さであってもよい。アイドルモードの間、モバイルタイムリファレンスを維持することは、ポータブル送信機がアクティブ状態に素早く移行することを可能にし、アクティブ状態をより短い持続時間に変える。これにより、消費電力を低減し、バッテリー寿命を延ばす。モバイルタイムリファレンスを３２ナノ秒精度で維持することは、入力されるマルチパス信号の効率的な検出、識別及び監視を改善する。
【００２４】
ＦＲＣは、ポータブルトランシーバーシステムのため、およびマルチパス信号を修復（recovery）し、マルチパス信号レシーバーを動作するために要求されるパラメーターを取得するために、タイミングリファレンスを供給する。
【００２５】
ＷＣＤＭＡモデム５２は、ＦＲＣ１０４、レシーバーイコライザー１２６、マルチパスモニター１２８、及びマルチパス無線信号修復回路１３０を有する。ＦＲＣ１０４からのモバイルタイムリファレンスは、例えばコード取得システムなどのマルチパスモニター１２８、および、例えば当業者に公知であるＲＡＫＥレシーバーなどのマルチパス無線信号修復回路１３０の両方に供給される。レシーバーＢＡＰからのデジタル信号は、レシーバーイコライザー１２６に供給され、マルチパスモニター１２８およびマルチパス無線信号修復回路１３０にバス１４４上で供給されるより前に、等化（equalize）される。
【００２６】
マルチパスモニター１２８は、プライマリシンクサーチャー１１６、セカンダリーシンクサーチャー１１８、及びゴールドコードサーチャー１２０を有し、マイクロプロセッサにこれらサーチャーに関する情報を供給する。
【００２７】
一実施形態では、マルチパス無線信号修復回路１３０は、ＳＰＰコントローラー１２２、１２のＳＰＰ１３２、１２のファーストインファーストアウト（ＦＩＦＯ）回路１３４、１２の位相コレクター１３６、デスキングアンドタイミングコントローラー（deskewing and timing controller）（ＤＴＣ）１３８と、４つの最大レートコンバイナー（maximal rate combiners）（ＭＲＣ）１４０、及び４つの復調ユニット（demodulation units）１４２を有する。
【００２８】
ＳＰＰコントローラー１２２は、１２のマルチパス信号をＳＰＰ１３２にマップアップし、スタートコマンドをバス１４６上で各ＳＰＰ１３２に供給する。各ＳＰＰは、ベースステーションに関連する入力されたクロック情報を修復（recover）して追跡(track)し、そのクロック情報をＤＴＣ１３８に供給する。そして各ＳＰＰは、１つおよび複数のベースステーションアンテナの両方のために、位相評価を対応する位相コレクター１３６に供給する。そのＤＴＣ１３８に供給されたクロック情報は、クロック位相、チップカウンター、及びスロットカウンターを有するモバイルタイムリファレンスと同じ形式（form）である。マップされた等化された信号は、各ＳＰＰ１３２を通って、対応するＦＩＦＯ１３４に到達する。各ＦＩＦＯ１３４は、５１２チップのサブ期間（subperiod）を有する。各無線フレームは、３８，４００チップ、または５１２チップの７５のサブ期間を含む。
【００２９】
各ＳＰＰ１３２からのクロック情報を使用するＤＴＣ１３８は、リードアドレスおよびリードストローブ信号をバス１４８から各ＳＰＰへ供給し、この時、互いに関連するＦＩＦＯ１３４の出力を整列配置・調整（align）する。ＤＴＣ１３８の動作は、複雑なＰＬＬ動作である。各ＦＩＦＯ１３４の出力は、対応する位相コレクター１３６に供給される。各位相コレクター１３は、対応するＳＰＰ１３２により供給される位相評価を用いて信号の位相を訂正する。各位相コレクター１３６の出力は、４つのＭＲＣ１４０のうちの１つにマップにされる。各ＭＲＣ１４０は、信号の強度を増加するために、マップされた信号を結合（combine）する。各ＭＲＣ１４０からの増強された信号は、対応する復調部１４２に供給される。復調部１４２は、その信号から８チャネルまでの情報を修復（recover）する。３２の異なるチャネルが、情報修復のために提供される。
【００３０】
上記修復システムの利点のひとつは、修復の効果を改善するために信号が整列配置されるまで、その信号から情報が修復されない点にある。他の利点は、ベースステーションからのどちらかまたは両方のアンテナからの信号が利用され、ＳＰＰにマッピングできる点にある。さらに他の利点は、非同期のベースステーションからの信号を整列配置できることにある。
【００３１】
本発明は、多数の非同期トランスミッターからの、または、ダイバーシティ(diversity)送信を用いて同じ場所に配置された複数のアンテナからのマルチパス信号成分を修復する、方法および広帯域スペクトラム拡散レシーバーを提供する。レシーバーは、複数の割り当てられたマルチパス信号、可能であれば複数のアンテナからのマルチパス信号を追跡（track）し、スペクトラム拡散システムのチップ速度で信号成分を整列配置（align）する。次に、レシーバーは、そのチップ速度で位相修正とチャネル修正とを行い、そのチップ速度で各送信アンテナからの信号成分を結合し、並行して複数の拡散コードを除去し、そして並行して直交チャネライゼーションコードを除去する。そして、レシーバーは、マクロダイバーシティ結合を実行し、ダイバーシティ送信された信号を処理し、信号量子化帯域幅をエラー訂正のために必要とされるメモリを最小化する最適な動的レンジに削減する。レシーバーが３Ｇスペクトラム拡散システムで利用される大量の拡散チャネライゼーションコードを超えて処理することが必要とされるとき、レシーバーは、送信機でのダイバーティ符号化において、複数の受信される信号経路のために必要とされるメモリ要求および処理要求を削減する。
【００３２】
ここで図４を参照すると、同図は、スペクトラム拡散無線信号修復の方法の一実施形態が示されている。最初に、ブロック２００に示すように、少なくとも１つのベースステーションから送信された複数の信号からクロック情報が修復される。ブロック２０２で、複数の信号が、修復されたクロック情報を用いてディスキングアンドタイミング部によって整列配置される。ブロック２０４で、整列配置された各信号は、４つの最大レートコンバイナーのうちの１つにマップされる。ブロック２０６に示すように、各最大レートコンバイナーは、そこにマップされた信号を結合する。最後にブロック２０８で、シンボル情報が、結合された信号から修復される。シンボル情報は、クロック情報を除いた受信信号からの他の情報を含む。
【００３３】
上述した信号修復システムおよび方法は、動的クロック情報を記録し修復し、入力された信号を整列配置するために必要な装置を生成する中心資源に、当該情報を供給する。
【００３４】
本発明の例示の実施形態は示され記述されたが、本発明の範囲から逸脱しない多数の変更、修正または改変が本発明になされてもよいことは、当業者にとって明らかであろう。そのような変更、修正、及び改変の全ては、本発明の範囲内にあると理解されるべきである。
【図面の簡単な説明】
【００３５】
【図１】図１は、本発明に係る第三世代ポータブルトランシーバーの一実施形態を説明するブロック図である。
【図２】図２は、図１のＷＣＤＭＡモデムのフリーランニングカウンターのブロック図である。
【図３】図３は、マルチパスモニターとマルチパス無線信号修復回路とを含む図１のＷＣＤＭＡモデムのブロック図である。
【図４】図４は、モバイルタイムリファレンスを提供する方法の一実施形態のフロー図である。
【図１】
2008182721.tif 000003
【図２】
2008182721.tif 000004
【図３】
2008182721.tif 000005
【図４】
2008182721.tif 000006
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
アンテナと、
前記アンテナに接続され、高周波発振器及および低周波発振器を含む無線周波数サブシステムと、
前記無線周波数システムに接続され、前記高周波発振器および前記低周波発振器に接続されるフリーランニングカウンターと、前記フリーランニングカウンターに接続されるマルチパス信号修復回路とを含むベースバンドサブシステムと、
ベースバンドサブシステムから信号を受信し、ベースバンドサブシステムに信号を供給するために、前記ベースバンドサブシステムに接続される少なくとも１つの周辺装置と、を備え、
前記マルチパス信号修復回路は、複数の着信信号からクロック情報を修復するための複数のシングルパスプロセッサを含む、
無線通信システムのためのポータブルトランシーバーシステム。
【請求項２】
前記マルチパス信号修復回路は、前記フリーランニングカウンターを用いて、着信信号の１つを前記シングルパスプロセッサ各々にマップするシングルパスプロセッサコントローラーを備える、請求項１記載のシステム。
【請求項３】
前記マルチパス信号修復回路は、前記クロック情報を用いて着信信号の出力を調整するために、前記シングルパスプロセッサに接続されるデスキングアンドタイミングコントローラを含む、請求項１記載のシステム。
【請求項４】
前記マルチパス信号修復回路は、出力調整された後に着信信号の位相を訂正するために、各シングルパスプロセッサに接続される位相訂正器を含む、請求項３記載のシステム。
【請求項５】
前記マルチパス信号修復回路は、前記位相訂正器から出力された信号の少なくとも２つを結合するために、前記位相訂正器の全てに接続される、少なくとも１つの最大レート結合器を備える、請求項４記載のシステム。
【請求項６】
前記フリーランニングカウンターは、前記モバイルタイムリファレンスを前記システムに供給し、ウエイクモードおよびスリープモードを有し、ウエイクモードの間は前記モバイルタイムリファレンスを生成するために前記高周波発振器を使用し、スリープモードの間は前記モバイルタイムリファレンスを維持するために低周波発振器を使用する、請求項１記載のシステム。
【請求項７】
前記高周波発振器は、温度制御水晶発振器である請求項６記載のシステム。
【請求項８】
前記温度制御水晶発振器は、３０．７２ＭＨｚクロックを提供する請求項７記載のシステム。
【請求項９】
前記低周波発振器は、水晶発振器である請求項６記載のシステム。
【請求項１０】
前記水晶発振器は、３２ＫＨｚクロックを供給する請求項９記載のシステム。
【請求項１１】
前記モバイルタイムリファレンスは、少なくとも３２ナノ秒の精度を有する請求項６に記載のシステム。
【請求項１２】
前記フリーランニングカウンターは、前記高周波発振器および前記低周波発振器に接続されるフェーズロックドループを含む請求項６記載のシステム。
【請求項１３】
前記フリーランニングカウンターは、低周波発振器のためのドリフト評価を含む請求項６記載のシステム。
【外国語明細書】
2008182721.tif 000007
2008182721.tif 000008
2008182721.tif 000009
2008182721.tif 000010
2008182721.tif 000011
2008182721.tif 000012
2008182721.tif 000013
2008182721.tif 000014
2008182721.tif 000015
2008182721.tif 000016
2008182721.tif 000017
2008182721.tif 000018
2008182721.tif 000019
2008182721.tif 000020
2008182721.tif 000021
2008182721.tif 000022
2008182721.tif 000023